(57)【要約】【課題】ハウス暖房において、燃料の削減率を向上させることができるようにする。【解決手段】温度制御部３２は、エアーコンディショナ１７の内蔵メモリの設定温度を、温度判定部３３の判定結果に応じて設定することにより、エアーコンディショナ１７を、通常運転、または、最大運転させる。エアーコンディショナ１７は、内蔵する温度センサにより測定された温度が温度制御部３２により設定された設定温度になるようにインバータ制御を行い、地面付近から空気を取り込み、上部から温風を出力する。本発明は、農作物を栽培するハウス内の温度制御を行うハウス温度制御システムに適用することができる。【選択図】図３
2011004634.tif 000002
【特許請求の範囲】
【請求項１】
燃料を用いてハウス内の暖房を行う暖房機、および温風により前記ハウス内の暖房を行うエアーコンディショナを用いて、前記ハウス内の温度を制御する温度制御装置において、
前記ハウス内の温度が、所望の温度である第１の温度以下になった場合、前記エアーコンディショナを全力運転させ、
前記ハウス内の温度が、前記第１の温度＋α（０＜α＜１）である第２の温度以上になった場合、前記エアーコンディショナを通常運転させる温度制御手段を
備える温度制御装置。
【請求項２】
前記温度制御手段は、前記ハウス内の温度が、前記第１の温度以下になった場合、前記エアーコンディショナの設定温度を、前記第２の温度よりも高い第３の温度に設定することで、前記エアーコンディショナを全力運転させ、
前記ハウス内の温度が、前記第２の温度以上になった場合、前記エアーコンディショナの設定温度を、前記第１の温度に設定することで、前記エアーコンディショナを通常運転させる
請求項１に記載の温度制御装置。
【請求項３】
前記第３の温度は、前記エアーコンディショナにおいて設定可能な最大温度である
請求項２に記載の温度制御装置。
【請求項４】
前記温度制御手段は、さらに、前記ハウス内の温度が、前記第１の温度、または前記第１の温度よりも低い第４の温度以下になった場合、前記重油暖房機の運転を開始させ、
前記ハウス内の温度が、前記第２の温度以上になった場合、さらに、前記重油暖房機の運転を停止させる
請求項２に記載の温度制御装置。
【請求項５】
燃料を用いてハウス内の暖房を行う暖房機、および温風により前記ハウス内の暖房を行うエアーコンディショナを用いて、前記ハウス内の温度を制御する温度制御手段を備える温度制御装置の温度制御方法であって、
前記温度制御手段が、前記ハウス内の温度が、所望の温度である第１の温度以下になった場合、前記エアーコンディショナを全力運転させ、
前記ハウス内の温度が、前記第１の温度＋α（０＜α＜１）である第２の温度以上になった場合、前記エアーコンディショナを通常運転させる
ステップを含む温度制御方法。
【請求項６】
燃料を用いてハウス内の暖房を行う暖房機、および温風により前記ハウス内の暖房を行うエアーコンディショナを用いて、前記ハウス内の温度を制御する温度制御装置のコンピュータを、
前記ハウス内の温度が、所望の温度である第１の温度以下になった場合、前記エアーコンディショナを全力運転させ、
前記ハウス内の温度が、前記第１の温度＋α（０＜α＜１）である第２の温度以上になった場合、前記エアーコンディショナを通常運転させる温度制御手段
として機能させるためのプログラム。
【請求項７】
ハウス内の暖房を行うエアーコンディショナにおいて、
前記ハウス内の温度が、所望の温度である第１の温度以下になった場合、前記エアーコンディショナを全力運転させ、
前記ハウス内の温度が、前記第１の温度＋α（０＜α＜１）である第２の温度以上になった場合、前記エアーコンディショナを通常運転させる温度制御手段と
を備えるエアーコンディショナ。
【請求項８】
前記温度制御手段は、前記ハウス内の温度が、前記第１の温度以下になった場合、前記エアーコンディショナの設定温度を、前記第２の温度よりも高い第３の温度に設定することで、前記エアーコンディショナを全力運転させ、
前記ハウス内の温度が、前記第２の温度以上になった場合、前記エアーコンディショナの設定温度を、前記第１の温度に設定することで、前記エアーコンディショナを通常運転させる
請求項７に記載のエアーコンディショナ。
【請求項９】
前記第３の温度は、前記エアーコンディショナにおいて設定可能な最大温度である
請求項８に記載のエアーコンディショナ。
【請求項１０】
温度制御手段を備え、ハウス内の暖房を行うエアーコンディショナの温度制御方法であって、
前記温度制御手段が、前記ハウス内の温度が、所望の温度である第１の温度以下になった場合、前記エアーコンディショナを全力運転させ、
前記ハウス内の温度が、前記第１の温度＋α（０＜α＜１）である第２の温度以上になった場合、前記エアーコンディショナを通常運転させる
ステップを含む温度制御方法。
【請求項１１】
ハウス内の暖房を行うエアーコンディショナのコンピュータを、
前記ハウス内の温度が、所望の温度である第１の温度以下になった場合、前記エアーコンディショナを全力運転させ、
前記ハウス内の温度が、前記第１の温度＋α（０＜α＜１）である第２の温度以上になった場合、前記エアーコンディショナを通常運転させて、前記ハウス内の温度を制御する温度制御手段
として機能させるためのプログラム。
【発明の詳細な説明】
【技術分野】
【０００１】
本発明は、温度制御装置および方法、エアーコンディショナおよびその温度制御方法、並びにプログラムに関し、特に、ハウス暖房において、燃料の削減率を向上させ、省エネを行うことができるようにした温度制御装置および方法、エアーコンディショナおよびその温度制御方法、並びにプログラムに関する。
【背景技術】
【０００２】
多くのハウス農家においては、重油を燃料としてハウス暖房が行われている。しかしながら、近年、原油価格の高騰によりハウス暖房用燃料が大きく値上がりし、殆どの作物において採算割れを起こしている。
【０００３】
ハウス被覆材料の断熱性を上げる、被覆材の隙間をできるだけ塞ぐ、ハウス上部の暖かい空気を攪拌して均一な温度分布にする、または、重油バーナのノズル清掃をこまめに行うなどの対策が提案されているが、これらの省エネ効果は２乃至３割程度である。
【０００４】
他に暖房費を低減させる方法としては、重油の代わりに、ヒートポンプを用いたエアーコンディショナ（以下、単にエアーコンディショナと称する）を使用する方法がある。例えば、非特許文献１には、エアーコンディショナを使用して、エアーコンディショナと重油焚温風暖房機を効率よく連動制御することが提案されている。
【０００５】
このように、通常はＣＯＰの高いエアーコンディショナで暖房を行い、外気温度が極端に低くなりハウス内温度を設定温度に維持できなくなったときに重油暖房機の助けを借りてハウス内の温度を維持するシステムを、ハイブリッド暖房システムと称する。ここで、ＣＯＰとは、成績係数（Coefficient Of Performance）であり、1kwの電気入力に対する熱出力の割合を表す。
【０００６】
ハイブリッド暖房システムにおいては、通常、エアーコンディショナの設定温度Ｔ℃とすると、重油暖房機の設定温度を、Ｔ−１℃乃至Ｔ−２℃に設定して、ハウス内の温度を、Ｔ℃を維持する。外気温度が下がってくると、エアーコンディショナのみで、Ｔ℃を維持できなくなり、徐々にハウス内の温度が下がってくる。
【０００７】
ハウス内の温度がＴ−１℃乃至Ｔ−２℃になると、重油暖房機が運転を始め、ハウス内の温度が徐々に上がり、Ｔ＋１℃程度になると、重油暖房機の運転は停止する。外気温度が低い間は、この動作が繰り返される。
【先行技術文献】
【非特許文献】
【０００８】
【非特許文献１】ネポン株式会社，グリーンパッケージ，[online]，[平成２１年６月３日検索]，インターネット<URL: http://www.nepon.co.jp/products/agriculture/gp/index.html>
【発明の概要】
【発明が解決しようとする課題】
【０００９】
ここで、現在生産されているエアーコンディショナは、その殆どがインバータ制御を行うものである。インバータ制御においては、ハウス内の温度がエアーコンディショナの設定温度Ｔ℃より５℃以上低い場合には全力で運転が行われるが、２乃至３℃低い程度場合には、全力の５０乃至７０％の能力で運転が行われる。
【００１０】
したがって、外気温度が低くなり、ハウス内の温度がＴ℃を下回り始めても、エアーコンディショナは全力で運転を行わないため、徐々にハウス内の温度が低下していく。その結果、エアーコンディショナの能力に余裕があるにも拘らず、重油暖房機が運転を開始してしまう。そして、重油暖房機が運転を始め、ハウス内の温度が上昇してくると、エアーコンディショナはインバータ制御のため、さらに、暖房能力を下げてしまう。
【００１１】
このように、本来、重油暖房機の運転が始まるときにこそ、エアーコンディショナが全力運転を行い、重油暖房機の運転を速やかに停止させなければならないにも拘らず、重油暖房機による暖房が続くことになってしまう。この結果、重油使用量はあまり削減できなかった。
【００１２】
本発明はこのような状況に鑑みてなされたものであり、ハウス暖房において、燃料の削減率を向上させ、省エネを行うことができるようにするものである。
【課題を解決するための手段】
【００１３】
本発明の一側面の温度制御装置は、燃料を用いてハウス内の暖房を行う暖房機、および温風により前記ハウス内の暖房を行うエアーコンディショナを用いて、前記ハウス内の温度を制御する温度制御装置において、前記ハウス内の温度が、所望の温度である第１の温度以下になった場合、前記エアーコンディショナを全力運転させ、前記ハウス内の温度が、前記第１の温度＋α（０＜α＜１）である第２の温度以上になった場合、前記エアーコンディショナを通常運転させる温度制御手段を備える。
【００１４】
前記温度制御手段は、前記ハウス内の温度が、前記第１の温度以下になった場合、前記エアーコンディショナの設定温度を、前記第２の温度よりも高い第３の温度に設定することで、前記エアーコンディショナを全力運転させ、前記ハウス内の温度が、前記第２の温度以上になった場合、前記エアーコンディショナの設定温度を、前記第１の温度に設定することで、前記エアーコンディショナを通常運転させることができる。
【００１５】
前記第３の温度は、前記エアーコンディショナにおいて設定可能な最大温度である。
【００１６】
前記稼動制御手段は、さらに、前記ハウス内の温度が、前記第１の温度、または前記第１の温度よりも低い第４の温度以下になった場合、前記重油暖房機の運転を開始させ、前記ハウス内の温度が、前記第２の温度以上になった場合、さらに、前記重油暖房機の運転を停止させることができる。
【００１７】
本発明の一側面の温度設定方法は、燃料を用いてハウス内の暖房を行う暖房機、および温風により前記ハウス内の暖房を行うエアーコンディショナを用いて、前記ハウス内の温度を制御する温度制御手段を備える温度制御装置の温度制御方法であって、前記温度制御手段が、前記ハウス内の温度が、所望の温度である第１の温度以下になった場合、前記エアーコンディショナを全力運転させ、前記ハウス内の温度が、前記第１の温度＋α（０＜α＜１）である第２の温度以上になった場合、前記エアーコンディショナを通常運転させるステップを含む。
【００１８】
本発明の一側面のプログラムは、燃料を用いてハウス内の暖房を行う暖房機、および温風により前記ハウス内の暖房を行うエアーコンディショナを用いて、前記ハウス内の温度を制御する温度制御装置のコンピュータを、前記ハウス内の温度が、所望の温度である第１の温度以下になった場合、前記エアーコンディショナを全力運転させ、前記ハウス内の温度が、前記第１の温度＋α（０＜α＜１）である第２の温度以上になった場合、前記エアーコンディショナを通常運転させる温度制御手段として機能させる。
【００１９】
本発明の他の側面のエアーコンディショナは、ハウス内の暖房を行うエアーコンディショナにおいて、前記ハウス内の温度が、所望の温度である第１の温度以下になった場合、前記エアーコンディショナを全力運転させ、前記ハウス内の温度が、前記第１の温度＋α（０＜α＜１）である第２の温度以上になった場合、前記エアーコンディショナを通常運転させて、前記ハウス内の温度を制御する温度制御手段とを備える。
【００２０】
前記温度制御手段は、前記ハウス内の温度が、前記第１の温度以下になった場合、前記エアーコンディショナの設定温度を、前記第２の温度よりも高い第３の温度に設定することで、前記エアーコンディショナを全力運転させ、前記ハウス内の温度が、前記第２の温度以上になった場合、前記エアーコンディショナの設定温度を、前記第１の温度に設定することで、前記エアーコンディショナを通常運転させることができる。
【００２１】
前記第３の温度は、前記エアーコンディショナにおいて設定可能な最大温度である。
【００２２】
本発明の他の側面の温度制御方法は、温度制御手段を備え、ハウス内の暖房を行うエアーコンディショナの温度制御方法であって、前記温度制御手段が、前記ハウス内の温度が、所望の温度である第１の温度以下になった場合、前記エアーコンディショナを全力運転させ、前記ハウス内の温度が、前記第１の温度＋α（０＜α＜１）である第２の温度以上になった場合、前記エアーコンディショナを通常運転させて、前記ハウス内の温度を制御するステップを含む。
【００２３】
本発明の他の側面のプログラムは、ハウス内の暖房を行うエアーコンディショナのコンピュータを、前記ハウス内の温度が、所望の温度である第１の温度以下になった場合、前記エアーコンディショナを全力運転させ、前記ハウス内の温度が、前記第１の温度＋α（０＜α＜１）である第２の温度以上になった場合、前記エアーコンディショナを通常運転させて、前記ハウス内の温度を制御する温度制御手段として機能させる。
【００２４】
本発明の一側面および他の側面においては、ハウス内の温度が、前記ハウス内の所望の温度である第１の温度以下になった場合、エアーコンディショナが全力運転される。また、前記ハウス内の温度が、前記第１の温度＋α（０＜α＜１）である第２の温度以上になった場合、前記エアーコンディショナが通常運転される。これにより、前記ハウス内の温度が制御される。
【発明の効果】
【００２５】
以上のように、本発明によれば、ハウス暖房を効率的に行うことができる。また、本発明によれば、ハウス暖房において、燃料の削減率を向上させ、省エネを行うことができる。
【図面の簡単な説明】
【００２６】
【図１】本発明を適用したハウス温度制御システムの一実施の形態の構成例を示す上面図である。
【図２】図１のハウス温度制御システムを横から見た側面図である。
【図３】図１のハウス温度制御システムの電気的構成例を示すブロック図である。
【図４】図１のハウス温度制御システムの温度制御処理を説明するフローチャートである。
【図５】本発明を適用したハウス温度制御システムの他の実施の形態の構成例を示す上面図である。
【図６】図５のエアーコンディショナの構成例を示すブロック図である。
【図７】図５のエアーコンディショナの空調制御処理を説明するフローチャートである。
【図８】本発明を適用したコンピュータの一実施の形態の構成例を示すブロック図である。
【発明を実施するための形態】
【００２７】
以下、図面を参照しながら本発明の実施の形態について説明する。
【００２８】
図１は、本発明を適用したハウス温度制御システムの一実施の形態の構成例を示す図である。ハウス温度制御システム１は、外気の温度変化などにより逐次変わるハウス２内の温度を管理し、制御する。
【００２９】
図１の例において、ハウス温度制御システム１は、給湯機１１、貯湯槽１２、循環ファン１３−１乃至１３−６、温度センサ１４−１乃至１４−６、湿度センサ１５、除湿用エアーコンディショナ１６、エアーコンディショナ１７−１乃至１７−６、および温度制御装置１８により構成される。
【００３０】
ハウス２は、木材、または鋼材を躯体とし、合成樹脂のフィルムで外壁を被覆した農業用の小屋であり、例えば、１反ほどの広さを有する。このハウス２内には、図示せぬトマト、なす、またはメロンなどの作物が栽培されている。ハウス２の被覆材料には、農業用ポリ塩化ビニルフィルムなどが用いられる。
【００３１】
なお、図１の例において、実線矢印は、給湯機１１により温められた温水の供給を表しており、点線矢印は、循環ファン１３−１乃至１３−６からの温水の戻りを表している。
【００３２】
給湯機１１は、例えば、Ａ重油を燃料として暖房を行う温水ボイラなどで構成される。給湯機１１は、貯湯槽１２に貯められている温水を取り込み、取り込んだ温水を、重油を燃料としてさらに温め、温めた温水を、貯湯槽１２に供給する。
【００３３】
貯湯槽１２は、循環ファン１３−１乃至１３−６から戻ってきた温水と、給湯機１１により温められた温水とを貯湯する。図１においては図示されないが、貯湯槽１２には、温水ポンプ３１（図３）が取り付けられており、温水ポンプ３１により、貯湯槽１２の温水は、循環ファン１３−１乃至１３−６に備えられる加熱コイル２１に給水され、循環ファン１３−１乃至１３−６から戻ってきた温水は、貯湯槽１２に貯められる。
【００３４】
すなわち、温水ポンプ３１が稼働しなければ、貯湯槽１２への温水の出入りがないので、貯湯槽１２の温水は計時変化の分しか冷めない。よって、給湯機１１においては最低限の燃料しか消費されない。すなわち、給湯機１１は、温水ポンプ３１が稼働されることで暖房を行うともいえる。
【００３５】
循環ファン１３−１乃至１３−６は、それぞれ、貯湯槽１２からの温水により空気を温める加熱コイル２１（図２）を有している。すなわち、貯湯槽１２からの温水は、加熱コイル２１に供給される。循環ファン１３−１乃至１３−６は、加熱コイル２１により温められた空気を取り込み、それを送風することで、ハウス２内の空気を攪拌し、循環させるとともに、ハウス２内を温める。
【００３６】
温度センサ１４−１乃至１４−６は、それぞれ、エアーコンディショナ１７−１乃至１７−６から所定の距離をおいて配置されている。
【００３７】
なお、図１の例において、温度センサ１４−６は、除湿用エアーコンディショナ１６上に図示されているが、実際には、除湿用エアーコンディショナ１６よりも高い位置に配置されている。
【００３８】
湿度センサ１５は、除湿用エアーコンディショナ１６から所定の距離をおいて配置されている。湿度センサ１５は、定期的に、ハウス２内の湿度を測定し、測定した湿度の情報を、除湿用エアーコンディショナ１６に出力する。
【００３９】
除湿用エアーコンディショナ１６は、湿度センサ１５により測定された湿度に基づいて、ハウス２内の除湿を行う。
【００４０】
具体的には、除湿用エアーコンディショナ１６は、図示せぬメモリを内蔵しており、そのメモリには、湿度調整の基準となる湿度が設定されて記憶されている。除湿用エアーコンディショナ１６は、定期的に、湿度センサ１５により測定された湿度が、メモリの設定湿度以上であるか否かを判定する。除湿用エアーコンディショナ１６は、湿度センサ１５により測定された湿度が設定湿度以上であると判定した場合、除湿運転を行い、湿度センサ１５により測定された湿度が設定湿度に満たないと判定した場合、除湿運転を休止する。
【００４１】
エアーコンディショナ１７−１乃至１７−６は、それぞれ、図示せぬ空気の取り込み口に温度センサを内蔵している。エアーコンディショナ１７−１乃至１７−６は、温度制御装置１８の制御のもと、内蔵する温度センサからの温度に基づくインバータ制御を行って、温風を出力することで、ハウス２内の温度を調整する。
【００４２】
温度制御装置１８は、例えば、汎用コンピュータで構成される。温度制御装置１８は、温度センサ１４−１乃至１４−６からの温度の情報に応じて、エアーコンディショナ１７−１乃至１７−６の運転、および貯蓄槽１２に取り付けられている温水ポンプ３１の運転を制御して、ハウス２内の温度を制御する。
【００４３】
すなわち、温度制御装置１８は、エアーコンディショナ１７−１乃至１７−６を制御し、最大能力による運転（以下、最大運転と称する）および通常運転のどちらか一方の運転を行わせる。また、温度制御装置１８は、温水ポンプ３１の運転のオンまたはオフを制御する。
【００４４】
なお、以下、循環ファン１３−１乃至１３−６、温度センサ１４−１乃至１４−６、およびエアーコンディショナ１７−１乃至１７−６を個々に区別する必要がない場合、単に循環ファン１３、温度センサ１４、およびエアーコンディショナ１７と称する。
【００４５】
また、図１においては、給湯機１１が１台、貯湯槽１２が１台、循環ファン１３が６台、温度センサ１４が６つ、湿度センサ１５が１つ、除湿用エアーコンディショナ１６が１台、およびエアーコンディショナ１７が６台の例が示されているが、それらの台数および配置場所は、図１の例に限らない。
【００４６】
図２は、図１のハウス温度制御システム１のハウス２内を横から見た側面図である。なお、図２の例において、矢印は、空気の流れ（気流）を表しており、除湿センサ１５、除湿用エアーコンディショナ１６、および温度制御装置１８は省略されている。
【００４７】
循環ファン１３は、貯湯槽１２からの温水により温められる（加熱される）加熱コイル２１を有している。すなわち、循環ファン１３は、その上部に設置される空気取り込みダクト２２と、その下部に設置される送風ダクト２３を有しており、加熱コイル２１は、循環ファン１３の上部の空気取り込みダクト２２に設置されている。
【００４８】
循環ファン１３は、実線矢印に示されるように、空気取り込みダクト２２から空気を取り込み、取り込んだ空気を、送風ダクト２３から送風する。これにより、ハウス２内の空気は、循環される。このとき、加熱コイル２１が貯湯槽１２からの温水（すなわち、給湯機１１により温められた温水）により温められていれば、空気取り込みダクト２２から取り込まれた空気は、加熱コイル２１により温められ、循環ファン１３により送風ダクト２３から送風される。これにより、ハウス２内の空気は、循環されるとともに、温められる。
【００４９】
温度センサ１４ａは、ハウス２の上部（天井付近）に配置され、定期的に、ハウス２の上部の温度を測定し、測定した温度の情報を、温度制御装置１８に出力する。温度センサ１４ｂは、ハウス２の天井と地面の中間付近に配置され、定期的に、ハウス２の中間付近の温度を測定し、測定した温度の情報を、温度制御装置１８に出力する。なお、温度センサ１４ｂの配置位置は、作物の高さあたりとすることもできる。このように、温度センサ１４を異なる高さに配置することで、ハウス２内の温度むらを検出し、調整することもできる。
【００５０】
エアーコンディショナ１７−１乃至１７−６は、温度制御装置１８の制御のもと、内蔵する温度センサからの温度に基づくインバータ制御を行い、点線矢印に示されるように、地面付近から空気を取り込み、エアーコンディショナ１７の上部から温風を出力して、ハウス２内を温める。
【００５１】
以上のように、ハウス温度制御システム１は、加熱コイル２１を有した循環ファン１３を用いての重油を燃料とする給湯機１１による暖房と、エアーコンディショナ１７による暖房の２通りの暖房方法を有している。
【００５２】
これらの給湯機１１およびエアーコンディショナ１７は、ともに、給湯機１１およびエアーコンディショナ１７のどちらか一方のみでも、ハウス２内の暖房を行うことができる能力を持つように構成されている。
【００５３】
そして、図１のハウス温度制御システム１は、温度センサ１４により測定されるハウス２内部の温度に基づいて、エアーコンディショナ１７の運転を制御し、その補佐として、給湯機１１の暖房の稼働（すなわち、温水ポンプ３１の稼働）を制御することにより、ハウス２内の温度制御を行う。これにより、ハウス２の暖房における重油の削減率を向上させることができる。
【００５４】
図３は、図１のハウス温度制御システム１の電気的構成例を示している。
【００５５】
図３の例において、ハウス温度制御システム１は、循環ファン１３、温度センサ１４、エアーコンディショナ１７、外部温度センサ２４、温水ポンプ３１、並びに、温度制御装置１８に構成される温度制御部３２および温度判定部３３からなる。
【００５６】
給湯機１１は、温度制御部３２の制御のもと稼働する。そして、稼働後、給湯機１１は、貯湯槽１２に貯められている温水が常に所定の温度（例えば、８０℃）以上になるように、貯湯槽１２に貯められている温水を温める。すなわち、給湯機１１は、貯湯槽１２に貯められている温水が９０℃になれば運転（動作）を停止し、８０℃を下回ると運転を開始する。
【００５７】
なお、貯湯槽１２を、循環ファン１３から戻ってきた温水と給湯機１１により温められた温水を分けて貯湯するように構成することもできる。この場合、給湯機１１は、例えば、循環ファン１３から戻ってきた温水が常に所定の温度になるように温める。
【００５８】
循環ファン１３は、温度制御部３２の制御のもと稼働する。稼働後、循環ファン１３は、空気取り込みダクト２２から空気を取り込み、取り込んだ空気を、送風ダクト２３から送風する。
【００５９】
エアーコンディショナ１７は、温度制御部３２の制御のもと稼働する。稼働後、エアーコンディショナ１７は、内蔵する温度センサからの温度に基づくインバータ制御を行って、温風を出力することで、ハウス２内の温度を調整する。
【００６０】
すなわち、エアーコンディショナ１７は、図示せぬメモリを内蔵しており、そのメモリには、それぞれ、温度調整の基準となる設定温度が記憶されている。この設定温度は、温度制御部３２により、温度センサ１４からの温度の情報に応じて設定される。
【００６１】
エアーコンディショナ１７は、定期的に、内蔵する温度センサにより測定された温度と、温度制御部３２により設定されるメモリの設定温度とを比較する。そして、エアーコンディショナ１７は、内蔵する温度センサにより測定された温度が設定温度になるように、インバータ制御を行い、図２の点線矢印に示されるように、地面付近から空気を取り込み、エアーコンディショナ１７の上部から温風を出力する。
【００６２】
温水ポンプ３１は、温度制御部３２の制御のもと、稼動したり、その動作（運転）を停止する。すなわち、温水ポンプ３１は、温度制御部３２により稼動が指示されると、図示せぬ２方弁制御を行い、貯湯槽１２の温水を、循環ファン１３が有する加熱コイル２１に給水したり、加熱コイル２１からの温水を貯湯槽１２に戻す。この結果、加熱コイル２１が貯湯槽１２からの温水により温められるので、循環ファン１３の空気取り込みダクト２２から取り込まれた空気は、加熱コイル２１により温められ、循環ファン１３により送風ダクト２３から送風される。
【００６３】
温度制御部３２は、ハウス２内における温度制御処理の開始とともに、給湯機１１、循環ファン１３、およびエアーコンディショナ１７を稼動させる。そして、温度制御部３２は、ハウス２内の温度制御処理として、温度判定部３３の判定結果に応じて、エアーコンディショナ１７を、通常運転させたり、最大運転させる。すなわち、温度制御部３２は、エアーコンディショナ１７の内蔵メモリの設定温度を、温度判定部３３の判定結果に応じて設定することにより、エアーコンディショナ１７を、通常運転させたり、最大運転させる。
【００６４】
また、温度制御部３２は、温度判定部３３の判定結果に応じて、温水ポンプ３１の稼動および停止を制御する。すなわち、温水ポンプ３１の稼働が制御されることにより、結果的に、重油を用いての給湯機１１による暖房の稼働および停止が制御される。
【００６５】
温度判定部３３は、メモリ４１を有している。温度判定部３３は、温度センサ１４からの温度の情報に基づき、ハウス２内の温度と、メモリ４１に記憶されている温度とを比較し、その比較結果を、温度制御部３２に供給する。
【００６６】
メモリ４１には、エアーコンディショナ１７の通常運転時の設定温度Tn、最大運転時の設定温度Tm、最大運転開始温度Ts、および通常運転開始温度Te、並びに、温水ポンプ３１の稼動開始温度Tpが設定されて、記憶されている。
【００６７】
エアーコンディショナ１７の通常運転時の設定温度Tnは、ハウス２内の所望（理想）の温度であり、ハウス２内で栽培される作物によって異なるものが設定される。メモリ４１においては、ある作物の通常運転時の設定温度Tnとして、例えば、２０度が設定される。
【００６８】
エアーコンディショナ１７の最大運転時の設定温度Tmは、エアーコンディショナ１７がその能力を最大として運転を始める温度であれば何度でもよい。
【００６９】
上述したように、エアーコンディショナは、インバータ制御を行うため、一般的に、設定温度より５℃以上低い場合には全力で運転が行われるが、２乃至３℃低い程度場合には、全力の５０乃至７０％の能力で運転が行われる。したがって、最大運転時の設定温度Tmとしては、通常運転時の設定温度Tnよりも５℃以上高い温度が推奨される。好ましくは、通常運転時の設定温度Tnに拠らないために、メモリ４１においては、最大運転時の設定温度Tmとして、エアーコンディショナ１７で設定可能な最大の温度（例えば、３０度）が設定される。
【００７０】
エアーコンディショナ１７の最大運転開始温度Tsは、最大運転を開始するか否かの判定時の閾値であり、メモリ４１においては、最大運転開始温度Tsとして、通常運転時の設定温度Tnと同じ温度が設定される。
【００７１】
エアーコンディショナ１７の通常運転開始温度Teは、通常運転を開始するか否かの判定時の閾値である。メモリ４１においては、通常運転開始温度Teとして、通常運転時の設定温度Tn＋α（０＜α＜１）が設定される。例えば、αには、０．１や０．２が設定される。
【００７２】
温水ポンプ３１の稼動開始温度Tpは、温水ポンプ３１が稼働を開始するか否かの判定時の閾値である。メモリ４１においては、稼動開始温度Tpとして、最大運転開始温度Tsと同じ値か、あるいは、最大運転開始温度Tsによりも低い値で、かつ、より近い値が設定される。すなわち、稼動開始温度Tpとしては、例えば、Ts−０．５度や、Ts−１℃、すなわち、最大運転開始温度Ts−β（０≦β≦２）が設定される。
【００７３】
次に、図４のフローチャートを参照して、ハウス温度制御システム１の温度制御処理を説明する。
【００７４】
温度制御処理が開始されると、温度制御部３２は、給湯機１１、循環ファン１３、およびエアーコンディショナ１７を稼動させる。
【００７５】
これにより、給湯機１１は、貯湯槽１２に貯められている温水が常に所定の温度（例えば、８０℃）以上になるように、貯湯槽１２に貯められている温水を温める。循環ファン１３は、空気取り込みダクト２２からの空気を取り込み、取り込んだ空気を、送風ダクト２３から送風する。
【００７６】
エアーコンディショナ１７は、稼働直後、通常運転を行う。すなわち、エアーコンディショナ１７は、定期的に、内蔵する温度センサにより測定された温度と、メモリの通常運転時の設定温度Tn（例えば、２０度）とを比較する。エアーコンディショナ１７は、内蔵する温度センサにより測定された温度が、通常運転時の設定温度Tnになるように、インバータ制御を行い、地面付近から空気を取り込み、エアーコンディショナ１７の上部から温風を出力する。
【００７７】
温度センサ１４は、ハウス２内の温度を測定し、測定した温度の情報を、温度判定部３３に出力する。温度判定部３３は、ステップＳ１１において、温度センサ１４からの温度の情報を取得する。温度判定部３３は、ステップＳ１２において、温度センサ１４からのハウス２内の温度と、メモリ４１の最大運転開始温度Ts（例えば、２０度）を比較し、ハウス２内の温度が、メモリ４１の最大運転開始温度Ts以下になったか否かを判定する。
【００７８】
ステップＳ１２において、ハウス２内の温度が、メモリ４１の最大運転開始温度Ts以下になったと判定された場合、処理は、ステップＳ１３に進む。ステップＳ１３において、温度制御部３２は、エアーコンディショナ１７のメモリの温度設定を、最大運転時の設定温度Tm（例えば、３０度）にする。
【００７９】
これにより、エアーコンディショナ１７においては、内蔵する温度センサにより測定された温度（例えば、２０度以下）が、最大運転時の設定温度Tm（例えば、３０度）になるように、インバータ制御が行われるので、最大運転が行われることとなる。
【００８０】
すなわち、ハウス２内の温度が、通常運転時の設定温度Tn以下になったと判定された場合、すぐに、エアーコンディショナ１７が能力最大の運転を開始する。これにより、エアーコンディショナ１７の能力に余裕があるにも拘らず温水ポンプ３１が運転を開始してしまうことが抑制される。
【００８１】
エアーコンディショナ１７による最大運転が開始された後、温度センサ１４は、ハウス２内の温度を測定し、測定した温度の情報を、温度判定部３３に出力する。温度判定部３３は、ステップＳ１４において、温度センサ１４からのハウス２内の温度の情報を取得する。
【００８２】
温度判定部３３は、ステップＳ１５において、温度センサ１４からのハウス２内の温度と、メモリ４１の温水ポンプ３１の稼動開始温度Tp（例えば、１９度）を比較し、ハウス２内の温度が、メモリ４１の温水ポンプ３１の稼動開始温度Tp以下になったか否かを判定する。ステップＳ１５において、内蔵する温度センサにより測定された温度が、メモリ４１の温水ポンプ３１の稼動開始温度Tp以下になったと判定された場合、処理はステップＳ１６に進む。
【００８３】
ステップＳ１６において、温度制御部３２は、温水ポンプ３１を稼動させる。これにより、給湯機１１によるハウス２内の暖房が開始される。
【００８４】
具体的には、温水ポンプ３１は、図示せぬ２方弁制御を行い、貯湯槽１２の温水を、循環ファン１３に備えられる加熱コイル２１に給水したり、加熱コイル２１からの温水を貯湯槽１２に戻す。この結果、加熱コイル２１が貯湯槽１２からの温水により温められるので、循環ファン１３の空気取り込みダクト２２から取り込まれた空気は、加熱コイル２１により温められ、循環ファン１３により送風ダクト２３から送風される。これにより、ハウス２内の空気は、循環されるとともに、さらに、温められる。
【００８５】
すなわち、エアーコンディショナ１７による最大運転をもってしても、ハウス２内の温度が下がった場合だけ、温水ポンプ３１による運転が開始される。これにより、重油使用量を最低限に抑えることができる。
【００８６】
なお、温水ポンプ３１の稼動開始温度Tpが、最大運転開始温度Tsと同じ場合には、ステップＳ１４およびＳ１５の処理はスキップされる。
【００８７】
温水ポンプ３１の運転が開始された後、温度センサ１４は、ハウス２内の温度を測定し、測定した温度の情報を、温度判定部３３に出力する。温度判定部３３は、ステップＳ１７において、温度センサ１４からのハウス２内の温度の情報を取得する。そして、処理は、ステップＳ１８に進む。
【００８８】
一方、ステップＳ１２において、ハウス２内の温度が、メモリ４１の最大運転開始温度Ts以下になっていないと判定された場合、ステップＳ１３乃至Ｓ１７の処理はスキップされ、処理は、ステップＳ１８に進む。また、ステップＳ１５において、ハウス２内の温度が、メモリ４１の温水ポンプ３１の稼動開始温度Tp以下になっていないと判定された場合、ステップＳ１６およびＳ１７の処理はスキップされ、処理は、ステップＳ１８に進む。
【００８９】
ステップＳ１８において、温度判定部３３は、温度センサ１４からのハウス２内の温度と、メモリ４１の通常運転開始温度Te（例えば、２０．２度）を比較し、温度判定部３３は、ハウス２内の温度が、メモリ４１の通常運転開始温度Te以上になったか否かを判定する。すなわち、ステップＳ１８においては、ステップＳ１１、Ｓ１４、またはＳ１７の処理により取得された温度センサ１４からのハウス２内の温度が通常運転開始温度Teと比較判定される。
【００９０】
ステップＳ１８において、ハウス２内の温度が、メモリ４１の通常運転開始温度Te以上になったと判定された場合、処理は、ステップＳ１９に進む。ステップＳ１９において、温度制御部３２は、エアーコンディショナ１７のメモリの温度設定を、通常運転時の設定温度Tn（例えば、２０度）にする。
【００９１】
これに対応して、エアーコンディショナ１７は、内蔵する温度センサにより測定された温度が、通常運転時の設定温度Tnになるように、インバータ制御を行い、地面付近から空気を取り込み、エアーコンディショナ１７の上部から温風を出力する。
【００９２】
さらに、温度制御部３２は、ステップＳ２０において、温水ポンプ３１の動作を停止させる。すなわち、ハウス２内の温度が、通常運転時の設定温度Tn＋α（０＜α＜１）以上になったとき、すぐに、エアーコンディショナ１７が通常運転に戻され、温水ポンプ３１の動作が停止される。
【００９３】
これにより、ハウス２内の温度を、所望の温度である設定温度Tnに保つことができる。
【００９４】
ステップＳ１８において、ハウス２内の温度が、メモリ４１の通常運転開始温度Te以上になっていないと判定された場合、ステップＳ１９およびＳ２０の処理はスキップされ、処理は、ステップＳ２１に進む。
【００９５】
ステップＳ２１において、温度制御部３２は、温度制御処理を終了するか否かを判定する。例えば、図示せぬ操作部などを操作することで、ユーザが温度制御処理の終了を指示する。このユーザの指示に対応して、ステップＳ２１において、温度制御処理を終了すると判定された場合、図４の温度制御処理は終了される。
【００９６】
ステップＳ２１において、温度制御処理をまだ終了しないと判定された場合、処理は、ステップＳ１１に戻り、それ以降の処理が繰り返される。
【００９７】
以上のように、ハウス内の温度が所望の（理想の）温度以下になった場合、すぐに、エアーコンディショナの運転が全力（最大）運転にされる。したがって、エアーコンディショナの能力に余裕があるにも拘らず、温水ポンプ（すなわち、給湯機）が運転を開始してしまうことが抑制される。これにより、重油使用量を削減することができる。
【００９８】
また、エアーコンディショナが全力運転中に、ハウス内の温度が、理想の温度より＋α（０＜α＜１）以上になった場合、すぐに、エアーコンディショナが通常運転にされるので、ハウス内の温度を理想の温度に保つことができる。
【００９９】
さらに、エアーコンディショナが全力運転中に、ハウス内の温度が下がった場合に、温水ポンプ（すなわち、給湯機）の運転が開始され、エアーコンディショナが全力運転中に、ハウス内の温度が、理想の温度より＋α（０＜α＜１）以上になった場合、すぐに、温水ポンプの運転が停止される。
【０１００】
したがって、エアーコンディショナによる最大運転をもってしても、ハウス内の温度が下がった場合だけ、重油暖房機による運転が開始される。これにより、重油使用量を最低限に抑えることができる。
【０１０１】
なお、上記説明においては、温水ポンプ３１の稼働を制御することで、給湯機１１の稼働を間接的に制御するようにしたが、温水ポンプ３１とともに給湯機１１も直接制御するようにすることも可能である。
【０１０２】
また、上記説明においては、温度制御装置１８によりハウス温度制御システム１を構成する各装置の制御をまとめて行う例を説明したが、温度制御装置１８が、上述したエアーコンディショナの制御だけを行うようにしてもよい。また、次に説明するように、エアーコンディショナに自己の制御を行わせるようにすることもできる。
【０１０３】
図５は、本発明を適用したハウス温度制御システムの他の実施の形態の構成例を示す図である。
【０１０４】
このハウス温度制御システム５１は、給湯機１１、貯湯槽１２、循環ファン１３−１乃至１３−６、温度センサ１４−１乃至１４−６、湿度センサ１５、除湿用エアーコンディショナ１６を備える点が、図１のハウス温度制御システム１と共通している。
【０１０５】
これに対し、ハウス温度制御システム５１は、エアーコンディショナ１７−１乃至１７−６に代えて、エアーコンディショナ６１−１乃至６１−６を備えている点と、温度制御装置１８が除かれている点が、図１のハウス温度制御システム１と異なっている。
【０１０６】
すなわち、ハウス温度制御システム５１においては、各装置が、それぞれ自分で稼働や運転を行い、それによって、ハウス２内の温度を制御する。
【０１０７】
なお、以下、エアーコンディショナ６１−１乃至６１−６を個々に区別する必要がない場合、単にエアーコンディショナ６１と称する。
【０１０８】
具体的には、ハウス温度制御システム５１において、温度センサ１４は、ハウス２の所定の位置に配置され、定期的に、ハウス２の温度を測定し、測定した温度の情報を、エアーコンディショナ６１および温水ポンプ３１に出力する。なお、温水ポンプ３１は、図５の例において図示されないが、ハウス温度制御システム５１においても、貯湯槽１２に取り付けられている。
【０１０９】
エアーコンディショナ６１は、温度センサ１４からの温度の情報に応じて、最大運転または通常運転を切り替えて、内蔵する温度センサからの温度に基づくインバータ制御を行って、温風を出力することで、ハウス２内の温度を調整する。
【０１１０】
また、温水ポンプ３１は、図示せぬメモリを内蔵しており、そのメモリには、稼働開始および動作停止の際に基準となる２つの温度が記憶されている。すなわち、図３を参照して上述した稼動開始温度Tpと、通常運転開始温度Teと同じ温度である動作停止温度Teが記憶されている。
【０１１１】
温水ポンプ３１は、動作停止中、定期的に、温度センサ１４により測定された温度が、メモリの稼動開始温度Tp以下であるか否かを判定する。温水ポンプ３１は、温度センサ１４により測定された温度が、メモリの稼動開始温度Tp以上であると判定した場合、稼働を開始する。また、温水ポンプ３１は、稼働中、定期的に、温度センサ１４により測定された温度が、メモリの動作停止温度Te以上になったか否かを判定する。温水ポンプ３１は、温度センサ１４により測定された温度が、メモリの動作停止温度Te以上になったと判定した場合、動作を停止する。
【０１１２】
なお、図５のハウス温度制御システム５１においては、温度制御装置１８に制御されていた給湯機１１および循環ファン１３も、すべて自分で稼動する。
【０１１３】
すなわち、給湯機１１は、ユーザの操作に応じて稼動し、貯湯槽１２に貯められている温水が常に所定の温度（例えば、８０℃）以上になるように、貯湯槽１２に貯められている温水を温める。循環ファン１３は、ユーザの操作に応じて稼動し、空気取り込みダクト２２から空気を取り込み、取り込んだ空気を、送風ダクト２３から送風する。
【０１１４】
図６は、図４のエアーコンディショナ６１の構成例を示している。
【０１１５】
図６の例において、エアーコンディショナ６１は、信号調節部７１、マイクロコンピュータ７２、空調制御部７３、空調部７４、および内部温度センサ７５により構成されている。
【０１１６】
信号調節部７１は、温度センサ１４からの温度の情報を、温度信号に変換して、マイクロコンピュータ７２に出力する。具体的には、温度センサ１４においては、温度に応じて抵抗値が変化し、変化した抵抗値が、信号調節部７１に出力される。信号調節部７１は、抵抗値に電圧をかけて、電流値を読み取り、その変化を温度信号として出力する。
【０１１７】
マイクロコンピュータ７２は、I/O（Input/Output）８１、CPU（Central Processing Unit）８２、メモリ８３、RAM（Random Access Memory）８４により構成される。
【０１１８】
I/O８１は、入力部９１および出力部９２を含んで構成され、マイクロコンピュータ７２の外部からのデータを入力したり、マイクロコンピュータ７２の外部へデータを出力する。
【０１１９】
CPU８２は、演算処理部９３を含んで構成され、メモリ８３およびRAM８４に記憶されるデータと、I/O８１から入力される温度データを用いて、エアーコンディショナ６１を制御する制御信号を生成し、生成した制御信号を、I/O８１に出力する。
【０１２０】
メモリ８３は、例えば、EPROM（Erasable Programmable ROM）などからなる。メモリ８３には、図４のメモリ４１に記憶されていた温度情報のうち、エアーコンディショナ１７の通常運転時の設定温度Tn、最大運転時の設定温度Tm、最大運転開始温度Ts、および通常運転開始温度Teが設定されて、記憶されている。これらの温度情報は、図４のメモリ４１の温度情報と同様に、作物毎に、ユーザにより設定可能である。
【０１２１】
RAM８４には、現在の運転が、通常であるか、最大であるかのステータスが記憶されており、逐次、CPU８２により更新される。
【０１２２】
入力部９１は、信号調節部７１からの温度信号を入力し、入力した温度信号に対してA/D(Analog/Digital)変換を行い、デジタルの温度データとして、CPU８２に出力する。出力部９２は、CPU８２からの制御信号を、空調制御部７３に応じた形式に変換して、空調制御部７３に出力する。
【０１２３】
演算処理部９３は、メモリ８３の設定温度情報を読み込み、RAM８４の現在のステータスを読み込み、入力部９１からの温度データと、読み込まれた設定温度のうちの開始温度とを比較、判定することにより、空調部７４の設定温度を求める。演算処理部９３は、求めた設定温度の情報を、制御信号として、出力部９２に出力する。また、演算処理部９３は、比較、判定により、現在のステータスが変更した場合には、RAM８４の現在のステータスを更新する。
【０１２４】
空調制御部７３は、空調部７４の動作を制御するために基準となる設定温度を記憶する図示せぬメモリを内蔵しており、そのメモリの設定温度を、出力部９２からの制御信号が示す設定温度に変更する。
【０１２５】
空調制御部７３は、内部温度センサ７５からの情報が示す温度が、メモリの設定温度に近づくようにインバータ制御を行い、空調部７４を制御する。
【０１２６】
空調部７４は、空調制御部７３の制御のもと、地面付近から空気を取り込み、エアーコンディショナ６１の上部から温風を出力して、ハウス２内を温める。
【０１２７】
内部温度センサ７５は、例えば、エアーコンディショナ６１の空気の取り込み口に設けられており、定期的に、ハウス２内の温度を測定し、測定した温度の情報を、空調制御部７３に出力する。
【０１２８】
なお、図６の例においては、信号調節部７１およびマイクロコンピュータ７２をエアーコンディショナ６１に内蔵する例を説明したが、外に設けることも可能である。
【０１２９】
次に、図７のフローチャートを参照して、ハウス２内の温度を制御する１つの処理としての、図５のエアーコンディショナ６１の空調制御処理を説明する。例えば、ユーザが図示せぬ操作部を操作することで、エアーコンディショナ６１の電源をオンすることにより、図７の空調制御処理は開始される。
【０１３０】
ステップＳ５１において、演算処理部９３は、メモリ８３から、設定温度（Tn,Tm,Ts,Te）を読み込むとともに、RAM８４の現在のステータスを、初期値（通常）にする。すなわち、演算処理部９３には、メモリ８３からの、エアーコンディショナ１７の通常運転時の設定温度Tn、最大運転時の設定温度Tm、最大運転開始温度Ts、および通常運転開始温度Teが読み込まれる。
【０１３１】
温度センサ１４は、定期的に、ハウス２内の温度を測定し、測定した温度の情報を、信号調節部７１に出力する。信号調節部７１は、温度センサ１４からの温度の情報を、温度信号に変換して、入力部９１に出力する。入力部９１は、信号調節部７１からの温度信号を入力し、入力した温度信号に対してA/D変換を行い、デジタルの温度データとして、演算処理部９３に出力する。
【０１３２】
ステップＳ５２において、演算処理部９３は、入力部９１を介して入力された温度データtdを取得する。
【０１３３】
演算処理部９３は、RAM８４の現在のステータスを読み込み、ステップＳ５３において、現在のステータスは、通常であるか否かを判定する。ステップＳ５３において、現在のステータスが通常であると判定された場合、処理は、ステップＳ５４に進む。
【０１３４】
演算処理部９３は、ステップＳ５４において、温度データtdが最大運転開始温度Ts以上であるか否かを判定する。ステップＳ５４において、温度データtdが最大運転開始温度Ts以上であると判定された場合、ステップＳ５５において、演算処理部９３は、空調部７４の設定温度を、通常運転時の設定温度Tnとし、現在のステータスを、通常にする。
【０１３５】
ステップＳ５４において、温度データtdが最大運転開始温度Tsより小さいと判定された場合、ステップＳ５６において、演算処理部９３は、空調部７４の設定温度を、最大運転時の設定温度Tmとし、現在のステータスを、最大にする。
【０１３６】
一方、ステップＳ５３において、現在のステータスが最大であると判定された場合、処理は、ステップＳ５７に進む。演算処理部９３は、ステップＳ５７において、温度データtdが通常運転開始温度Te以上であるか否かを判定する。ステップＳ５７において、温度データtdが通常運転開始温度Te以上であると判定された場合、ステップＳ５８において、演算処理部９３は、空調部７４の設定温度を、通常運転時の設定温度Tnとし、現在のステータスを、通常にする。
【０１３７】
ステップＳ５７において、温度データtdが通常運転開始温度Teより小さいと判定された場合、ステップＳ５９において、演算処理部９３は、空調部７４の設定温度を、最大運転時の設定温度Tmとし、現在のステータスを、最大にする。
【０１３８】
ステップＳ５５、Ｓ５６、Ｓ５８、およびＳ５９の後、処理は、ステップＳ６０に進む。
【０１３９】
ステップＳ６０において、演算処理部９３は、出力部９２を介して、空調制御部７３へ、設定温度を出力し、RAM８４のステータスを更新する。すなわち、ステップＳ５５、Ｓ５６、Ｓ５８、およびＳ５９で求められた設定温度が、制御信号として、出力部９２を介して、空調制御部７３に出力される。また、RAM８４の現在のステータスが、ステップＳ５５、Ｓ５６、Ｓ５８、およびＳ５９で求められたステータスで更新される。
【０１４０】
これに対応して、空調制御部７３においては、メモリの設定温度が、出力部９２からの制御信号が示す設定温度に変更される。空調制御部７３は、内部温度センサ７５からの情報が示す温度が、メモリの設定温度に近づくように、空調部７４をインバータ制御する。
【０１４１】
すなわち、現在のステータスが通常である場合に、温度データtdが最大運転開始温度Ts以上であると判定されたとき（ステップＳ５５）、空調制御部７３のメモリの設定温度は、通常運転時の設定温度Tn（例えば、２０度）のままとなる。
【０１４２】
これにより、空調制御部７３は、内部温度センサ７５からの情報が示す温度が、２０度に近づくように空調部７４をインバータ制御するので、ハウス２内を、２０度に維持することができる。
【０１４３】
現在のステータスが通常である場合に、温度データtdが最大運転開始温度Tsより小さいと判定されたとき（ステップＳ５６）、空調制御部７３のメモリの設定温度が最大運転時の設定温度Tm（例えば、３０度）に更新される。
【０１４４】
これにより、空調制御部７３は、内部温度センサ７５からの情報が示す温度が、３０度に近づくように空調部７４をインバータ制御するので、結果的に、空調部７４は、最大のパワーで運転を行うことになる。
【０１４５】
一方、現在のステータスが最大である場合に、温度データtdが通常運転開始温度Te以上であると判定されたとき（ステップＳ５８）、空調制御部７３のメモリの設定温度は、通常運転時の設定温度Tn（例えば、２０度）に更新される。
【０１４６】
これにより、空調制御部７３は、内部温度センサ７５からの情報が示す温度が、２０度に近づくように空調部７４をインバータ制御するので、ハウス２内を、２０度に維持することができる。
【０１４７】
現在のステータスが最大である場合に、温度データtdが通常運転開始温度Teより小さいと判定されたとき（ステップＳ５９）、空調制御部７３のメモリの設定温度は最大運転時の設定温度Tm（例えば、３０度）のままとなる。
【０１４８】
これにより、空調制御部７３は、内部温度センサ７５からの情報が示す温度が、３０度に近づくように空調部７４をインバータ制御するので、結果的に、空調部７４は、最大のパワーのまま運転を行うことになる。
【０１４９】
なお、この場合、並行して、温水ポンプ３１は、動作停止中、定期的に、温度センサ１４により測定された温度が、メモリの稼動開始温度Tp以下であるか否かを判定しており、温度センサ１４により測定された温度が、メモリの稼動開始温度Tp以上であると判定した場合、稼働を開始する。すなわち、重油暖房機による暖房も並行して行われる。
【０１５０】
また、温水ポンプ３１は、稼働中、定期的に、温度センサ１４により測定された温度が、メモリの動作停止温度Te以上になったか否かを判定しており、温度センサ１４により測定された温度が、メモリの動作停止温度Te以上になったと判定した場合、動作を停止する。
【０１５１】
すなわち、エアーコンディショナ６１が最大運転を行っても能力が足りない場合のみ、温水ポンプ３１により重油暖房が行われる。この結果、ハウス２内の温度は、エアーコンディショナ６１のみの場合よりも早く上昇するので、すぐに、空調部７４を通常運転に戻すとともに、重油暖房機による暖房も停止することができる。
【０１５２】
ステップＳ６１において、演算処理部９３は、空調制御処理を終了するか否かを判定する。例えば、図示せぬ操作部などを操作することで、ユーザがエアーコンディショナ６１の電源のオフを指示する。このユーザの指示に対応して、ステップＳ６１において、空調制御処理を終了すると判定された場合、図７の空調制御処理は終了される。
【０１５３】
ステップＳ６１において、温度制御処理をまだ終了しないと判定された場合、処理は、ステップＳ５２に戻り、それ以降の処理が繰り返される。
【０１５４】
以上のように、ハウス内の温度が所望の温度以下になった場合、エアーコンディショナを全力運転にさせるようにしたので、エアーコンディショナの能力に余裕があるにも拘らず重油暖房機が運転を開始してしまうことが抑制される。これにより、重油の使用量を削減することができる。
【０１５５】
また、ハウス内の温度が、所望の温度＋α（０＜α＜１）以上になった場合、エアーコンディショナを通常運転にさせるようにしたので、ハウス内の温度を所望の温度に保つことができる。
【０１５６】
以上により、本発明によれば、インバータ制御のよさ（なめらかな温度変化）を残しながら、インバータ制御において、ハウスの温度が設定温度より２乃至３℃低い程度場合には、全力の５０乃至７０％の能力で運転が行われてしまうという、ハウスの温度制御において望ましくない点を抑制することができる。
【０１５７】
なお、上記説明においては、エアーコンディショナのインバータ制御をそのまま利用して、設定温度を変更することにより、最大運転と通常運転を切り替える例を説明したが、制御方法は、この例に限らず、例えば、最大運転とする際には、インバータ制御を禁止して、最大運転させ、通常運転とする際には、インバータ制御に戻すという制御を行ってもよい。
【０１５８】
また、上記説明においては、重油暖房機として、給湯機、貯湯槽、循環ファン、温水ポンプを用いた温水ボイラを用いる例を説明したが、Ａ重油を燃料とした暖房機であれば、これに限らず、例えば、温風暖房機を用いることもできる。
【０１５９】
さらに、この暖房機の燃料としては、Ａ重油に限らず、本発明は、エアーコンディショナと、灯油またはプロパンガスなどの燃料を用いる暖房機を併用したハウス温度制御システムにも適用することができる。
【０１６０】
すなわち、本発明によれば、燃料の削減率を向上させることができる。
【０１６１】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な汎用のパーソナルコンピュータなどが含まれる。
【０１６２】
図８は、上述した一連の処理をプログラムにより実行するコンピュータのハードウエアの構成例を示すブロック図である。
【０１６３】
コンピュータにおいて、CPU(Central Processing Unit)２０１、ROM(Read Only Memory)２０２、RAM(Random Access Memory)２０３は、バス２０４により相互に接続されている。
【０１６４】
バス２０４には、さらに、入出力インタフェース２０５が接続されている。入出力インタフェース２０５には、入力部２０６、出力部２０７、記憶部２０８、通信部２０９、およびドライブ２１０が接続されている。
【０１６５】
入力部２０６は、キーボード、マウス、マイクロフォンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０１６６】
以上のように構成されるコンピュータでは、CPU２０１が、例えば、記憶部２０８に記憶されているプログラムを入出力インタフェース２０５及びバス２０４を介してRAM２０３にロードして実行することにより、上述した一連の処理が行われる。
【０１６７】
コンピュータ（CPU２０１）が実行するプログラムは、例えば、パッケージメディア等としてのリムーバブルメディア２１１に記録して提供することができる。また、プログラムは、ローカルエリアネットワーク、インターネット、デジタル放送といった、有線または無線の伝送媒体を介して提供することができる。
【０１６８】
コンピュータでは、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０１６９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１７０】
また、本明細書において、システムとは、複数の装置により構成される装置全体を表すものである。
【０１７１】
さらに、本発明の実施の形態は、上述した実施の形態に限定されるものではなく、本発明の要旨を逸脱しない範囲において種々の変更が可能である。
【符号の説明】
【０１７２】
１  ハウス温度制御システム，  １１  給湯機，  １２  貯湯槽，  １３−１乃至１３−６  循環ファン，  １４−１乃至１４−６,１４ａ,１４ｂ  温度センサ，  １７−１乃至１７−６  エアーコンディショナ，  ２１  加熱コイル，  ３１  温水ポンプ，３２  温度制御部，  ３３  温度判定部,  ４１  メモリ，  ５１  ハウス温度制御システム，  ６１−１乃至６１−６  エアーコンディショナ，  ７２  マイクロコンピュータ，  ７３  空調制御部，  ７４  空調部，  ７５  内部温度センサ，  ８１  I/O，  ８２  CPU，  ８３  メモリ，  ８４  RAM，  ９３  演算処理部
【図１】
2011004634.tif 000003
【図２】
2011004634.tif 000004
【図３】
2011004634.tif 000005
【図４】
2011004634.tif 000006
【図５】
2011004634.tif 000007
【図６】
2011004634.tif 000008
【図７】
2011004634.tif 000009
【図８】
2011004634.tif 000010